(57)【特許請求の範囲】
【請求項１】
敷設方向前側において震動運動装置に結合され、敷設方向に対して横方向に延びていて駆動装置５により上下動され得る少なくとも一つの突き棒４を配置された、電気的に過熱され得る基板１を備えた舗装機械用スクリードにおいて、前記突き棒４に隣接するように配置された少なくとも一つのコイル１０を備えており、電源１１から高周波電流を前記コイル１０に供給して、前記コイル１０に流れる前記高周波電流により、方向が周期的に変化する磁界を発生させ、該磁界の変化により、前記突き棒４内に渦電流を誘発するようになっていることを特徴とする舗装機械用スクリード。
【請求項２】
前記突き棒４は少なくとも一つのコイル１０によって発生する磁界の短絡回路を形成することを特徴とする請求項１に記載の舗装機械用スクリード。
【請求項３】
少なくとも一つのコイル１０は磁化し得るＵ字形鉄心９を有していることを特徴とする請求項１又は２に記載の舗装機械用スクリード。
【請求項４】
複数のコイル１０が敷設方向へ互いに等距離の所に配列されていることを特徴とする請求項１乃至３の何れかに記載の舗装機械用スクリード。
【請求項５】
少なくとも一つのコイル１０が基板１上に配置されていることを特徴とする請求項１乃至４の何れかに記載の舗装機械用スクリード。
【請求項６】
二つの突き棒４が敷設方向に互いに隣接して前後に配置されていることを特徴とする請求項１乃至５の何れかに記載の舗装機械用スクリード。
【請求項７】
少なくとも一つのコイル１０がスクリードの前壁７に配置されていることを特徴とする請求項１乃至６の何れかに記載の舗装機械用スクリード。
【請求項８】
電源１１には周波数変換器１２が従属せしめられていることを特徴とする請求項１乃至７に記載の舗装機械用スクリード。
【請求項９】
電源１１は交流電源であることを特徴とする請求項１乃至８の何れかに記載の舗装機械用スクリード。
【請求項１０】
電源１１は三相電源であることを特徴とする請求項１乃至９の何れかに記載の舗装機械用スクリード。
【請求項１１】
少なくとも一つのコイル１０は加熱されてはならない部品に対し遮蔽されていることを特徴とする請求項１乃至１０の何れかに記載の舗装機械用スクリード。
【請求項１２】
基板１は電気的に加熱され得るようになっていることを特徴とする請求項１乃至１１の何れかに記載の舗装機械用スクリード。
【請求項１３】
前記基板１に隣接するように配置されていて電源１１から高周波電流が供給され得る少なくとも一つのコイルを備え、前記コイルに流れる前記高周波電流により、周期的に変化する磁界を発生させ、該磁界の変化によって前記基板１内に渦電流を誘発するようになっていることを特徴とする請求項１乃至１２の何れかに記載の舗装機械用スクリード。
【請求項１４】
前記コイルはリングコイルであることを特徴とする請求項１３に記載の舗装機械用スクリード。
【請求項１５】
前記突き棒４及び／又は前記基板１にサーモスタットが設けられていることを特徴とする請求項１乃至１４の何れかに記載の舗装機械用スクリード。
【発明の詳細な説明】
【０００１】
【発明の属する技術分野】
本発明は、請求項１の前文に記載の舗装機械用スクリードに関する。
【０００２】
【従来の技術】
通常、舗装機械は、分配器オーガーの敷設方向後方背部に配置されたスクリードを備えている。このスクリードは緊張腕を介して舗装機械に枢着されていて、敷設されるべき材料上で浮動するようになっている。
【０００３】
この種のスクリードは欧州特許公開第０６４１８８７号から公知であり、突き棒として設計された上下動可能な工具が基板の敷設方向前側に配置されていて、敷設方向に対し横向きに延びている。突き棒は偏心駆動装置により運転され得るようになっており、加熱要素例えば加熱棒を介して電気的に加熱され得るようになっている。突き棒は、少なくとも一つの摩滅部及び少なくとも一つの担持部と、摩滅部内か担持部内か又は摩滅部と担持部の間に形成された加熱要素を収容するための少なくとも一つの溝を含んでいる。
【０００４】
【発明が解決しようとする課題】
従って、この溝内にある加熱要素は、スクリードが稼働中は突き棒と共に上下動せしめられる。これに付随して電力供給線も移動せしめられる結果、しばしば作動故障を起こす。
【０００５】
本発明は、従来の技術の有するこのような問題点に鑑みてなされたものであり、その目的とするところは、請求項１の前文に記載の舗装機械用スクリードにおいて、突き棒の加熱装置が故障することのないように設計された舗装機械用スクリードを提供しようとするものである。
【０００６】
【課題を解決するための手段】
この目的は、請求項１の特徴部分に記載の特徴により達成される。この目的のために、敷設方向前側において若し適当ならば震動運動装置に結合され、敷設方向に対し横方向に延びていて駆動装置により上下動され得る少なくとも一つの突き棒を配置した基板を備えたスクリードにおいて、突き棒は、該突き棒に隣接するように配置された少なくとも一つのコイルを介して電気的に加熱され得るようになっている。コイルには電源を介して高周波電流が供給され得るようになっていて、コイルに高周波電流が流されたとき、突き棒内に渦電流が誘発され得るようになっている。同時に、突き棒は好ましくはコイルにより発生する磁界の短絡回路を形成する。特に、少なくとも一つの前記コイルは、Ｕ字形の磁化可能な鉄心を有し、突き棒はこの鉄心に対するヨークを構成するが、空芯コイル，十分なターン間隔を持つリングコイル又は棒状コイルであっても良い。この場合、コイルの形状は用途とスペースとの各条件に適合せしめられる。電源は交流電源であっても、三相の電源であっても良く、そして周波数変換器が付設されても良い。突き棒は、磁束によって渦電流が誘発され得る導電体である。コイルを流れる高周波電流は、方向が周期的に変化して突き棒内に渦電流を誘起する磁界を発生する。結果として生じる加熱作用は突き棒を加熱するのに役立って、突き棒と一緒に移動せしめられなければならないケーブル導線を有する加熱要素を全く必要としないようになる。
【０００７】
更に、このようなスクリードを備えた舗装機械では、突き棒は加熱要素のための溝を必要としないので、設計費は安い。
【０００８】
この場合、コイルは、基板上に配置されても良いし、スクリードの前壁上に配置されても良いし、スクリード本体上に配置されても良い。磁界の損失を最少にするために、コイルは、何れにしても加熱されるべき構成要素から空間的に短距離の位置に配置されるのが好ましい。特に、コイルは、敷設方向前側にある基板の端縁かスクリードの前壁上に設けられて、基板の幅全体に亘り垂直に延びるのが良い。更に、敷設方向前側にある基板の端縁及び／又は前壁上の敷設方向へ互いに等距離の所に複数のコイルが配列されても良い。
【０００９】
敷設方向に互いに隣接して前後に二つの突き棒が配置され、敷設方向前側にある突き棒が敷設されるべき材料を予めぎっしり詰めるのに役立つようにする場合には、敷設方向前側にある突き棒の電気加熱はスクリードの前壁に配置された少なくとも一つのコイルにより行われ、一方敷設方向後側にある突き棒の加熱は基板上に配置された少なくとも一つのコイルによって行われる。
【００１０】
更に、稼働中突き棒の突き穴内へ入り込んで冷却され例えば夜通し休止状態に置かれた結果硬化してしまったアスファルトを柔らかくするか又はばらす目的で、突き棒は、コイルにより適用される電流の増大によって１２０乃至１４０℃の突き棒の正規の作業温度よりも可成り高い温度に持ち来される。この方法で、突き棒の領域で硬化したアスファルトは再び柔らかくされ、適当であればばらばらにされて、スクリードが稼働状態になるまでの時間が短縮される。
【００１１】
本発明の他の実施例は、下記の説明と従属請求項から集約され得る。
【００１２】
【発明の実施の形態】
本発明は、添付図面に示された実施例を参照して以下に詳細に説明される。図１は舗装機械用スクリードの概略側面図、図２は図１に示したスクリードの目詰め要素の平面図、図３はスクリードの目詰め要素の他の実施例を示す平面図である。
【００１３】
図示された舗装機械用スクリードは、下側に、敷設された材料上で浮動してこれを平滑にし且つ詰め、好ましくは担持体２を介して（図示しない）震動運動装置に結合された震動軸３に連結された基板１を含んでいる。
【００１４】
基板１の敷設方向前側には、基板１の幅方向全体に亘って敷設方向に対し横方向に延びた突き棒４が直接配置されている。この突き棒４は、偏心駆動装置５を介して調節可能なストロークで上下に駆動され得る。突き棒４はその前端縁に傾斜部６を有している。傾斜部６の傾斜角は、敷設されるべき材料の最適の送りを確保するために、好ましくは３０゜乃至７０゜の間である。
【００１５】
また、スクリードは舗装機械の分配器オーガーの側面に向けられた前壁７を有しており、この分配器オーガーは敷設されるべき材料を給送する。前壁７は、突き棒４に対し傾斜せしめられ且つ突き棒４に終端が隣接している下側案内部分８を含んでいる。案内部分８の傾斜角は、便宜上突き棒４の傾斜部６の角度に略対応している。
【００１６】
基板１の頂面には、Ｕ字形の磁化可能な鉄心９に設けられた一つ又はそれ以上の数のコイル１０が配列されている。コイル１０は空芯コイル，リングコイル又は棒状コイルとしても設計されて良い。若しリングコイルが使用される場合には、隣接するコイル巻線の間隔は、十分に大きく選定されて、コイル線を囲む磁界が突き棒４内に渦電流を発生させるのに十分であるようにされなければならない。若しＵ字形の磁化可能な鉄心９を持ったコイル１０が使用される場合には、突き棒４は鉄心９に対するヨークとなり、その結果コイル１０により発生する磁界の短絡回路を形成する。Ｕ字形鉄心９が使用される場合には、該鉄心は各コイル１０によって完全に又は部分的に包囲され得る。磁化可能な鉄心９のＵ字形はコイル１０を担持する中間脚を持っていても良い。特に、磁化可能な鉄心９の材料としては、導電性が低いため渦電流損失が非常に小さく同時に透磁性が高いため、フェライトが有利である。
【００１７】
図２に示すように、突き棒４の幅全体に亘り垂直に延びた一つのコイル１０が設けられても良いし、また、図３に示すように、複数のコイル１０が敷設方向に互いに等距離の位置に配置されて、突き棒４の幅全体に分配されるようにしても良い。Ｕ字形鉄心９が、その自由端が基板１の前端縁上で突き棒４に隣接して配置されるように少なくとも一つのコイル１０が基板１上に配置されて、突き棒４はコイル１０の各鉄心９に対するヨークを構成するようになっている。
【００１８】
図３に示された各コイル１０は、互いに並列に、共通の電源１１に接続されている。図２に示されたコイル１０は対応して（図示しない）電源に接続され得る。電源１１は、交流電源であっても良いし、又は三相の電源であっても良く、また周波数変換器１２が付設されても良い。コイル１０に流れる高周波電流は、方向が周期的に変化する磁界を発生する。磁界の変化により、突き棒４内には渦電流が誘発され、その結果として突き棒は加熱される。
【００１９】
突き棒４に加えて、基板１も電気的に加熱され得る。この電気的な加熱は、抵抗加熱又は一つ以上の加熱用カートリッジ又は加熱棒（オーム加熱素子）により実行されるが、基板１は突き棒４に対し同様な方法で電磁的に加熱されても良い。この目的のために、一つ以上のコイルが基板１に配置され、好ましくはリングコイルが使用される。この場合、コイル巻線の間隔は、十分に大きくなるように選択されて、コイル線を囲む磁界が基板１内に十分な渦電流を誘発するようになっていなければならない。しかし、コイルはＵ字形の磁化可能な鉄心９を有していても良いし、又は空芯コイルとして設計されても良い。コイルは同様に電源１１に接続されて、同様に高周波電流がコイルへ流されるようにしても良い。コイルに高周波電流が流される場合に磁界が周期的に変化する結果、基板１内には渦電流が誘発されて、基板１は電気的に加熱される結果となる。
【００２０】
突き棒４のみ又は基板１は加熱されるべきであるので、好ましくは、渦電流は加熱されるべき範囲にのみ発生するよう保証することが可能である。このために、コイル１０は加熱されるべきでない部品のために磁気的に遮蔽されるのが良い。
【００２１】
一つの突き棒４に代えて、敷設方向前後に二つの突き棒が配置されても良い。この場合には、敷設方向前側に置かれる（図示しない）突き棒は敷設されるべき材料の予備詰め込みを確保し、後側の突き棒４は前記材料の更なる詰め込みを保証する。この配列の場合には、前側の突き棒に隣接する各コイル１０は、前側突き棒を加熱するため前壁７上に配置されるのが好ましい。特に、これらのコイル１０にはＵ字形の磁化可能な鉄心９を用いるのが良く、前側の突き棒はコイル１０の鉄心９に対するヨークを形成する。前側の突き棒の加熱は、前壁７上に配置されたコイル１０に流れる高周波電流により周期的に変化する磁界に対し反応して前側突き棒内に誘発される渦電流により同様に行われる。
【００２２】
突き棒４又は基板１の熱量の調整は、制御ループを介して又は二段調整のサーモスタットを介して及び／又は周波数調整により、二次的又は一次的に調整可能な方法において又は制御可能に行われ得る。
【００２３】
【発明の効果】
上述の如く本発明によれば、長時間の使用によっても故障することのない高性能の舗装機械用スクリードを廉価に提供することが出来る。
【図面の簡単な説明】
【図１】舗装機械用スクリードの概略側面図である。
【図２】図１に示された舗装機械用スクリードの詰め込み要素の一実施例の平面図である。
【図３】図１に示された舗装機械用スクリードの詰め込み要素の他の実施例の平面図である。
【符号の説明】
１      基板
２      担持体
３      震動軸
４      突き棒
５      駆動装置
６      傾斜部
７      前壁
８      下側案内部
９      Ｕ字形鉄心
１０    コイル
１１    電源
１２    周波数変換器
【図１】
0004083349.tif 000002
【図２】
0004083349.tif 000003
【図３】
0004083349.tif 000004